(57)【要約】【課題】両端の口金より突出した端子部が回動位置調節可能な直管形ＬＥＤランプを低コストで提供するとともに、端子部が口金部から外れにくくし、かつ端子部の十分な回動範囲を確保する。【解決手段】口金部２０は、ネジ挿通口２１ｃを形成した円板形の基部２１ａを有するとともに、導電端子２１を設けた回動可能な給電端子部２１と、基部２１ａに裏面側から固着されて、基部２１の外周部との間で周溝２４を構成するための裏板部材２２と、周溝２４に嵌入される凸部２３ａが先端内周面に周設され、ランプ本体１０にネジ止めされるネジ受部２３ｃが内周面に立設された円筒部２３とを備える。【選択図】図１
2013251244.tif 000002
【特許請求の範囲】
【請求項１】
ソケットの受金部に挿着される口金部をランプ本体の両端に設けた直管形ＬＥＤランプにおいて、
前記口金部のそれぞれは、
ネジ挿通口を形成した円板形の基部を有するとともに、該基部が呈する一の面上に導電端子を設けた回動可能な給電端子部と、
該基部に裏面側から固着されて、該基部の外周部との間で周溝を構成するための裏板部材と、
この周溝に嵌入される凸部が先端内周面に周設され、ランプ本体にネジ止めされるネジ受部が内周面に立設された円筒部とを備える、直管形ＬＥＤランプ。
【請求項２】
ソケットの受金部に挿着される口金部をランプ本体の両端に設けた直管形ＬＥＤランプにおいて、
前記口金部のそれぞれは、
円板形の基部を有して回動可能な給電端子部と、
該基部の周縁部が嵌入される周溝が先端内周面に形成された、断面が半円弧形の２つの部材を向かい合わせに接合させてなる円筒部とを備える、直管形ＬＥＤランプ。
【請求項３】
請求項２に記載の直管形ＬＥＤランプにおいて、
前記２つの部材は、これらを向い合せに接合させたときに、互いの端面が対向するようにそれぞれの内周面から支柱が立設されており、それらの支柱は、その間にランプ本体から突出した基板を挟んでネジによって連結されている、直管形ＬＥＤランプ。
【請求項４】
請求項１〜３のいずれかに記載の直管形ＬＥＤランプにおいて、
前記給電端子部の回動範囲を規制する回動規制手段を更に設け、
この回動規制手段は、
前記基部から突出した回動突起と、前記給電端子部の許容された回動範囲の両端で、前記円筒部の側からその前記回動突起に接触して通過を禁止するストッパー部とが形成されている、直管形ＬＥＤランプ。
【請求項５】
請求項１〜４のいずれかに記載の直管形ＬＥＤランプにおいて、
前記給電端子部の回動位置を保持する回動位置保持手段を更に設け、
この回動位置保持手段は、
前記周溝と前記凸部の一方には、複数の刻み目が周方向に所定の間隔で連設され、他方にはその刻み目に選択的に係合する係合突起が形成されている、直管形ＬＥＤランプ。
【請求項６】
請求項１〜５のいずれかに記載の直管形ＬＥＤランプが着脱自在に装着された照明器具。
【発明の詳細な説明】
【技術分野】
【０００１】
本発明は、発光源が内装された照明本体の両端面に一対の口金部を回動可能に設けて、配光を調節可能にした発光源内装ランプの改良に関する。
【背景技術】
【０００２】
近年、省エネ志向の高まりから、従来タイプの照明器具の替わりに、発光ダイオード等を利用した低消費電力タイプのものが用いられる場合が増えている。直管形蛍光ランプも例外ではなく、これに類似した外観を有し、発光ダイオードなど実装した基板が内装された直管形発光源内装ランプが開発、市販され始めている。
【０００３】
しかしながら、発光ダイオードは蛍光ランプとは発光原理が異なっており、周囲全体にではなく、特定の範囲に光を照射する性質なので、直管形ランプとした場合には、ランプの直下付近だけが明るく照らされる。ところがランプの利用形態や設置場所によっては、ランプの直下以外を照らしたいという要望もある。このような要望に対応した従来技術の例として、次の特許文献には、直管状のＬＥＤユニットに取り付けられる口金を、ＬＥＤユニットの軸線に対して回動できるようにしたＬＥＤランプの開示がある。この場合、口金の角度によって、照明器具に対するＬＥＤユニットの角度も変わるので、所望の配光が得られる。
【先行技術文献】
【特許文献】
【０００４】
【特許文献１】再公表特許Ｗ２００９−１５４１６２号公報
【発明の概要】
【発明が解決しようとする課題】
【０００５】
上記特許文献によれば、ＬＥＤユニットに対して口金を回動自由にしているが、そのような回動のため、ＬＥＤユニットと口金との電気的接続にブラシ機構が用いられている。しかし、ブラシ機構等を採用すれば製品がコスト高になるという問題がある。
【０００６】
そこで本発明は、両端の口金より突出した端子部が回動位置調節可能な直管形ＬＥＤランプを低コストで提供するとともに、端子部が口金部から外れにくくし、かつ端子部の充分な回動範囲を確保することを目的とする。
【課題を解決するための手段】
【０００７】
本発明による直管形ＬＥＤランプは、ソケットの受金部に挿着される口金部をランプ本体の両端に設けた直管形ＬＥＤランプにおいて、前記口金部のそれぞれは、ネジ挿通口を形成した円板形の基部を有するとともに、該基部が呈する一の面上に導電端子を設けた回動可能な給電端子部と、該基部に裏面側から固着されて、該基部の外周部との間で周溝を構成するための裏板部材と、この周溝に嵌入される凸部が先端内周面に周設され、ランプ本体にネジ止めされるネジ受部が内周面に立設された円筒部とを備える。
【０００８】
本発明による他の直管形ＬＥＤランプは、ソケットの受金部に挿着される口金部をランプ本体の両端に設けた直管形ＬＥＤランプにおいて、前記口金部のそれぞれは、円板形の基部を有して回動可能な給電端子部と、該基部の周縁部が嵌入される周溝が先端内周面に形成された、断面が半円弧形の２つの部材を向かい合わせに接合させてなる円筒部とを備える。
【０００９】
前記２つの部材は、これらを向い合せに接合させたときに、互いの端面が対向するようにそれぞれの内周面から支柱が立設されており、それらの支柱は、その間にランプ本体から突出した基板を挟んでネジによって連結されていてもよい。
【００１０】
前記給電端子部の回動範囲を規制する回動規制手段を更に設け、この回動規制手段は、前記基部から突出した回動突起と、前記給電端子部の許容された回動範囲の両端で、前記円筒部の側からその前記回動突起に接触して通過を禁止するストッパー部とが形成されていてもよい。
【００１１】
前記給電端子部の回動位置を保持する回動位置保持手段を更に設け、この回動位置保持手段は、前記周溝と前記凸部の一方には、複数の刻み目が周方向に所定の間隔で連設され、他方にはその刻み目に選択的に係合する係合突起が形成されていてもよい。
【００１２】
本発明による照明器具は、前記直管形ＬＥＤランプが着脱自在に装着されてなる。
【発明の効果】
【００１３】
本発明によれば、口金部は簡単な構造なので低コストで製造できる。また給電端子部を円筒部に対して回動自在に保持する手段を構成する周溝と凸部は、周溝が形成された一体型の給電端子部を、凸部が形成された円筒部に無理やり嵌め入れる構成ではないので、組み立ての際に破損することがない。また嵌入深さ等の寸法が特に制限されず自由に設定できるので、給電端子部が円筒部から外れにくい丈夫な口金部が得られる。更に、口金部をランプ本体に固定するためのネジが、給電端子部の基部が回動移動する面から離れて配置されているので、給電端子部の回動範囲を自由に設定できるという効果もある。
【００１４】
このような直管形ＬＥＤランプがソケットに装着される各種照明器具においても同様の効果が得られる。
【図面の簡単な説明】
【００１５】
【図１】本発明のＬＥＤランプの一実施例を示しており、（ａ）〜（ｃ）はそれぞれ、ＬＥＤランプの横断面図、側面視した部分縦断面図、平面視した部分縦断面図である。
【図２】本発明のＬＥＤランプの外観図を示しており、（ａ）〜（ｄ）はそれぞれ、左側面図、正面図、右側面図、平面図である。
【図３】口金部の構成部品である給電端子部を示しており、（ａ）〜（ｃ）はそれぞれ、正面図、側面図、背面図である。
【図４】口金部の構成部品である裏板部材を示しており、（ａ）〜（ｃ）はそれぞれ、正面図、側面図、背面図である。
【図５】口金部の構成部品である円筒部を示しており、（ａ）〜（ｃ）はそれぞれ、正面図、側面図、背面図である
【図６】回動式給電端子部の回動位置（０°、４５°、９０°）を示す図である。
【図７】本発明のＬＥＤランプの他の実施例を示しており、（ａ）、（ｂ）はそれぞれ、口金部の正面図、正面分解図である。
【図８】（ａ）、（ｂ）はそれぞれ、図７（ａ）の線断面図、図７（ｂ）の縦分解断面図である。
【図９】（ａ）、（ｂ）はそれぞれ、本発明のＬＥＤランプの他の実施例を示す縦断面図、縦分解断面図である。
【発明を実施するための形態】
【００１６】
以下、本発明の第１の実施形態を図１〜図６について説明する。
【００１７】
これらの図において、ランプ１は、発光ダイオード素子１１ａが実装された基板１１を、透光カバー１２が設けられたランプ本体１０をなす管内に収容し、その両端に、ソケットの受金部に挿入される端子部を有する口金部２０が固定された基本構造を有する。
【００１８】
ランプ本体１０は、中空カマボコ形の金属製の放熱部材１３に樋状の透光カバー１２を被せて、円筒形になっており、放熱部材１３の透光カバー１２を向いた面に基板１１が固定されている。放熱部材１３は加工性やコストの面からたとえばアルミ合金製にするとよい。
【００１９】
それぞれの口金部２０は、円板形の基部２１ａを有する給電端子部２１と、給電端子部２１の基部に裏面側から固着されて、回動端子の基部２１ａの外周部に周溝２４を構成する裏板部材２２と、この周溝２４に嵌入する凸部２３ａが先端内周面に形成された円筒部２３とで構成されている。これらの各部材は、ポリカ、ウレタン、ＡＢＳ等の樹脂で形成するとよい。
【００２０】
給電端子部２１は、向かい合って立設された導電端子２５を、楕円形の広がりを有した周壁で囲んだ構造である。なお図１の（ｂ）では、給電端子部２１の断面を示すため、導電端子２５は破線によって示している。給電端子部２１は、円板形に広がった基部２１ａを有するが、この基部２１ａは、表面側よりも裏面側が小径の２段構成になっている。導電端子２５は、給電端子部２１の裏面側に貫通突出している。導電端子２５を取り囲む周壁には一カ所の切断部があるが、この切断部は、このランプ１が、非対応のソケットに誤装着されないために設けられている。簡単に説明すれば、このような切断部を端子部に設け、対応した突起部をソケットの電極挿入穴に設けることによって、プラス、マイナスの極性を有した直流駆動タイプのランプが、そのような極性を有さない交流駆動タイプのランプ用ソケットに誤装着される等の作業ミスが防止できる。周壁の切断部については、本発明の趣旨に特に関連しないので、詳細な説明は割愛する。
【００２１】
裏板部材２２は、給電端子部２１の基部２１ａの表面側と略同径の円板である。そのため回路端子部の基部２１ａに裏面側から固着されると、給電端子部２１の基部２１ａの外周部に周溝２４が構成される。すなわち周溝２４の一方の側面と底面は給電端子部２１の基部２１ａによって構成され、周溝２４の他方の側面は裏板部材２２によって構成される。なお周溝２４は、給電端子部２１と裏板部材２２との表裏固着によって構成するのなら、２段構成とされる側は、給電端子部２１の基部２１ａであっても、裏板部材２２であっても、その両方であっても構わない。またここでは、給電端子部２１の基部２１ａの裏側に、裏板部材２２を対角位置で２カ所ネジ止めするようにしているが、接着剤等を用いて固着させてもよい。なお、ネジ止め部分は、給電端子部２１と裏板部材２２とに僅かな隙間を持たせることによって、ネジをきつく締めると、この部分が弾性変形して、給電端子部２１の基部２１ａと、裏板部材２２とがより強固に固着されるようにしている。裏板部材２２の中央には、給電端子部２１より突出した導電端子２５をランプ本体側に露出させるために矩形の開口が形成されている。
【００２２】
円筒部２３は、先端側の内周面に突条形の凸部２３ａが周設されている。凸部２３ａの高さおよび厚みは、給電端子部２１の基部２１ａと裏板部材２２とによって構成される周溝２４に適合する寸法とされる。円筒部２３の後端部は、ランプ本体１０の放熱部材１３および透光カバー１２の端部を表裏の両側から挟み込むよう二重構造の固定部２３ｂを備えている。２重構造の内側部分は、放熱部材１３に嵌りこむ部分と、透光カバー１２に嵌りこむ部分に分離されており、円筒部２３は正しく位置合わせしないとランプ本体１０に嵌合できない。更に口金部２０の脱落を防止すために、ランプ本体１０の長手方向にネジ孔が貫通されたネジ受部２３ｃが円筒部２３の内周面から内側（中心軸方向）に向けて立設されている。ネジ孔は、放熱部材１３に長手方向に形成されたネジ固定溝２３ｆに整合して形成されている。
【００２３】
上記のような給電端子部２１、裏板部材２２、および円筒部２３を組み立てることによって口金部２０ができあがる。具体的には給電端子部２１を円筒部２３に前方から嵌め入れて、給電端子部２１の基部２１ａの周縁が円筒部２３の内周面の凸部２３ａに被さった状態とする。その状態で、裏板部材２２を円筒部２３に後方から嵌め入れて、給電端子部２１と、裏板部材２２とをネジ止めして固着させる。これによって、円筒部２３の凸部２３ａがその中に嵌入した状態で周溝２４が完成する。凸部２３ａは周溝２４に嵌入されたままスライド可能なので、給電端子部２１は円筒部２３に対して回動自在になる。
【００２４】
このようにして組み立てられた２つの口金部２０がランプ本体１０の両端に固定される。口金部２０をランプ本体１０の端部に嵌めて、放熱部材１３に形成されたネジ固定溝２３ｆと、円筒部２３から内側に突出したネジ受部２３ｃのネジ孔とをネジ２６によって固定する。ネジ止めは、給電端子部２１の基部２１ａに形成されたネジ挿通孔２１ｃより行うことができる。すなわち、ネジ挿通孔２１ｃと、ネジ受部２３ｃのネジ孔とを位置合わせし、ネジを磁力等によってドライバーの先端に吸着させた状態でネジ挿通孔２１ｃを潜らせて、そのままネジ受部２３ｃのネジ孔に押し込んで締めこむようにして、ネジ止め作業を行うことができる。
【００２５】
口金部２０は、給電端子部２１の回動範囲を規制する回動規制手段を備えてもよい。例えば図６の例では、給電端子部２１の基部２１ａから突出した回動突起２１ｂと、円筒部２３に形成され、回動端子の許容された回動範囲の両端でその回動突起２１ｂと接触して通過を禁止するストッパー部２３ｄとによって、回動規制手段が構成されている。
【００２６】
円筒部２３には、給電端子部２１の回動によって旋回する回動突起２１ｂの軌道形状に合わせて切欠きが形成されており、この切欠きの両端がストッパー部２３ｄになる。なお回動規制手段の構成はこれに限定されず、同様の突起、切欠きをそれぞれ円筒部２３、給電端子部２１に形成してもよい。
【００２７】
この実施形態では、図６の（ａ）〜（ｃ）に示すように、給電端子部２１の回動範囲は概ね１８０℃に設定されている。図６（ｃ）では、回動突起２１ｂがストッパー部２３ｄに接触してそれ以上の回動ができない状態になっている。
【００２８】
また口金部２０は、給電端子部２１の回動位置を保持する回動位置保持手段を備えることができる。たとえば図４の例では、裏板部材２２の周縁（周溝２４の側面となる部分）に、給電端子部２１に向けて突出する係合突起２２ａが設けられている。係合突起２２ａの周囲は舌状に切込みが入れられており、そのため係合突起２２ａは裏板部材２２の弾性によって前後動が可能である。一方、円筒部２３の内周面に周設された凸部２３ａの側面には、複数の刻み目２３ｅが所定の間隔で放射状に連設されている。口金部２０が組み立てられた状態では、この複数の刻み目２３ｅに対して、裏板部材２２の係合突起２２ａが選択的に係合することによって、給電端子部２１の回動位置が保持される。すなわち、口金部２０の給電端子部２１を手指で摘まんで回動力を加えると、給電端子部２１は所定の回動毎に手応え（クリック感）を持ちながら回動し、手を離したあとは、係合突起２２ａと刻み目２３ｅとの係合によって、その回動位置に保持される。回動位置保持手段はこれに限定されず、裏板部材側に複数の刻み目２３ｅを設け、給電端子部２１の基部２１ａに係合突起２２ａを設けてもよい。
【００２９】
ついで、本発明の第２の実施形態を図７、８について説明する。
【００３０】
ランプ１は、従来のＲ１７ｄ口金に類似した口金部２０を備えている。口金部２０は、円板形の基部２１ａを備えた給電端子部２１と、その給電端子部２１の基部２１ａの周縁部が嵌入される周溝２４が先端内周部に形成された、断面が半円弧形の部材２３Ａ、２２Ｂを向かい合わせに接合させてなる円筒部２３とを備える。この２つの部材２３Ａ、２３Ｂは、これらを向い合せに接合させたときに、その互いの端面が対向するようにそれぞれの内周面から支柱２３ｆが立設されている。
【００３１】
口金部２０は、２つの部材２３Ａ、２３Ｂの周溝２４に給電端子部２１の基部２１ａの周縁部を嵌入させ、かつ、２つの樋形部材より突出した支柱２３ｆの端面の間に、ランプ１本体から突出した基板１１を挟んだ状態で、基板１１を貫通させたネジによって２つの支柱２３ｆをネジ止めして連結することによって組み立てられる。またこの口金部２０は、上記と同様の回動規制手段や回動位置保持手段を備えることができる。
【００３２】
上記いずれのランプも、従来のＲ１７ｄ口金に類似した口金部２０を備えている。しかしながら、従来のＧ１３口金に類似した口金部を備えたランプにも、本発明はそのまま適用できる。たとえば図９は、Ｇ１３口金に類似した口金を備えた変形例を示している。口金部２０は、2本の金属棒よりなる導電端子２５が円板形の基部２１ａを貫通して立設されている。他の構成要素は、図７、図８に示したランプと共通である。
【００３３】
上記いずれの実施形態でも、口金部は簡単な構造なので低コストで製造できる。また給電端子部を円筒部に対して回動自在に保持する手段を構成する周溝と凸部は、周溝が形成された一体型の給電端子部を、凸部が形成された円筒部に、弾性変形させながら無理やり嵌め入れる構成ではないので、組み立ての際に破損することがない。また嵌入深さ等の寸法が特に制限されず自由に設定できるので、給電端子部が円筒部から外れにくい丈夫な口金部が得られる。更に、口金部をランプ本体に固定するためのネジが、給電端子部の基部が回動移動する面から離れて配置されているので、給電端子部の回動範囲を自由に設定できるという効果もある。
【００３４】
またこのような直管形ＬＥＤランプがソケットによって着脱自在に装着された照明装置においても同様の効果が得られる。
【符号の説明】
【００３５】
１        ＬＥＤランプ
１０      ランプ本体
１１      基板
２０      口金部
２１      給電端子部
２１ａ    基部
２１ｂ    回動突起
２１ｃ    ネジ挿通孔
２２      裏板部材
２２ａ    係合突起
２３      円筒部
２３ａ    凸部
２３ｃ    ネジ受部
２３ｄ    ストッパー部
２３ｅ    刻み目
２３ｆ    支柱
２３Ａ、２３Ｂ  断面が円弧状の２つの部材
２４      周溝
２５      導電端子
【図１】
2013251244.tif 000003
【図２】
2013251244.tif 000004
【図３】
2013251244.tif 000005
【図４】
2013251244.tif 000006
【図５】
2013251244.tif 000007
【図６】
2013251244.tif 000008
【図７】
2013251244.tif 000009
【図８】
2013251244.tif 000010
【図９】
2013251244.tif 000011